(57)【要約】【課題】付属物をまとめて保管することができる収納型台紙を提供する。【解決手段】収納型台紙１０は、第１のシート状基材１１と、第１のシート状基材１１と切り離し予定線ｍを介して連接する第２のシート状基材１２と、第１のシート状基材１１の片面の周縁部に設けられる接着層３０と、接着層３０によって第１のシート状基材１１に接着される第３のシート状基材２０と、第１のシート状基材１１と第３のシート状基材２０との間の接着層３０によって接着されない空間に形成される収納部２１と、収納部２１を開口する切り込み部２２とを備え、収納部２１は、収納型台紙１０に付属する第２のシート状基材１２及び会員カード４０を収納する。【選択図】図１
2009090537.tif 000002
【特許請求の範囲】
【請求項１】
第１のシート状基材と、
前記第１のシート状基材と切り離し予定線を介して連接する第２のシート状基材と、
前記第１のシート状基材の片面の少なくとも周縁部に設けられる接着層と、
前記接着層によって前記第１のシート状基材に接着される第３のシート状基材と、
前記第１のシート状基材と前記第３のシート状基材との間の前記接着層によって接着されない空間に形成される収納部と、
前記収納部を開口する切り込み部とを備え、
前記収納部は、当該収納型台紙に付属する付属物を収納すること、
を特徴とする収納型台紙。
【請求項２】
請求項１に記載の収納型台紙において、
前記付属物は、前記切り離し予定線で前記第１のシート状基材から切り離される前記第２のシート状基材であること、
を特徴とする収納型台紙。
【請求項３】
請求項１又は請求項２に記載の収納型台紙において、
前記付属物は、前記第１のシート状基材及び／又は前記第２のシート状基材に剥離可能に設けられる情報表示片であること、
を特徴とする収納型台紙。
【請求項４】
請求項３に記載の収納型台紙において、
前記切り込み部は、前記第２のシート状基材を収納する第１の切り込み部と、前記情報表示片を収納する第２の切り込み部とを備えること、
を特徴とする収納型台紙。
【発明の詳細な説明】
【技術分野】
【０００１】
本発明は、書類などを収納可能な収納型台紙に関するものである。
【背景技術】
【０００２】
顧客宛に送付されるダイレクトメール（ＤＭ）や申込書は、案内状や会員カードなどを同封する場合が数多くあり、それに伴ってＤＭなどの形態もさまざまなものが提案、実現されている（例えば、特許文献１参照）。特許文献１の発明は、申込書に仮カード（付属物）が設けられた仮カード付き申込書である。
しかし、このような形態の申込書は、申込書から仮カードを剥がしたら、以後、申込書と仮カードとが別々に保管されることとなり、いずれか一方を紛失してしまう場合があった。
【特許文献１】特開平１０−３１５６６２号公報
【発明の開示】
【発明が解決しようとする課題】
【０００３】
本発明の課題は、付属物をまとめて保管することができる収納型台紙を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、第１のシート状基材（１１）と、前記第１のシート状基材（１１）と切り離し予定線（ｍ）を介して連接する第２のシート状基材（１２）と、前記第１のシート状基材（１１）の片面の少なくとも周縁部に設けられる接着層（３０）と、前記接着層（３０）によって前記第１のシート状基材（１１）に接着される第３のシート状基材（２０）と、前記第１のシート状基材（１１）と前記第３のシート状基材（２０）との間の前記接着層（３０）によって接着されない空間に形成される収納部（２１）と、前記収納部（２１）を開口する切り込み部（２２）とを備え、前記収納部（２１）は、当該収納型台紙（１０）に付属する付属物（１２）を収納すること、を特徴とする収納型台紙（１０）である。
請求項２の発明は、請求項１に記載の収納型台紙（１０）において、前記付属物（１２）は、前記切り離し予定線（ｍ）で前記第１のシート状基材（１１）から切り離される前記第２のシート状基材（１２）であること、を特徴とする収納型台紙（１０）である。
請求項３の発明は、請求項１又は請求項２に記載の収納型台紙（１０）において、前記付属物（４０）は、前記第１のシート状基材（１１）及び／又は前記第２のシート状基材（１２）に剥離可能に設けられる情報表示片（４０）であること、を特徴とする収納型台紙（１０）である。
請求項４の発明は、請求項３に記載の収納型台紙（１０）において、前記切り込み部（２２）は、前記第２のシート状基材（１２）を収納する第１の切り込み部（２２−１）と、前記情報表示片（４０）を収納する第２の切り込み部（２２−２）とを備えること、を特徴とする収納型台紙（１０）である。
【発明の効果】
【０００５】
本発明によれば、以下のような効果がある。
（１）収納型台紙は、収納型台紙に付属する付属物を収納部に収納できるので、付属物をなくさずにまとめて保管することができる。
（２）付属物は、第２のシート状基材であるので、収納型台紙から第２のシート状基材を切り離したときに、第２のシート状基材を収納して保管することができる。
（３）付属物は、情報表示片であるので、収納型台紙から情報表示片を剥離したときに、情報表示片を収納して保管することができる。
（４）切り込み部は、第１の切り込み部と第２の切り込み部とを備えるので、第２のシート状基材及び情報表示片をそれぞれ個別に保管することができる。
【発明を実施するための最良の形態】
【０００６】
以下、図面等を参照して、本発明の実施形態をあげてさらに詳しく説明する。
（実施形態）
図１は、本発明による収納型台紙の実施形態の模式図である。ここで、図１（ａ）は、収納型台紙の表面の平面図を示し、図１（ｂ）は、その裏面である背面図を示し、図１（ｃ）は、収納型台紙を顧客に送付するときの形態を説明する図を示す。
【０００７】
収納型台紙１０は、図１（ａ）に示すように、第１のシート状基材１１と、第２のシート状基材１２とを備え、図１（ｂ）に示すように、第１のシート状基材１１の裏面に接着層３０を介して第３のシート状基材２０が接着されている。また、収納型台紙１０は、第２のシート状基材１２の表面に、会員カード（情報表示片）４０が剥離可能に貼付されている。本実施形態では、収納型台紙１０は、通信販売の会員登録を通知する通知書類であり、図１（ｃ）に示すように、通信販売のカタログ５０とともに封筒１００に挿入した状態で顧客に送付される。
第１のシート状基材１１は、裏面に接着層３０が設けられた略矩形状の厚紙であり、切り離し予定線ｍを介して第２のシート状基材１２と連接している。ここで、切り離し予定線ｍは、例えば、ミシン目である。
【０００８】
第２のシート状基材１２は、折り込み線ｆを挟んで宛名基材部１２−１と、規約基材部１２−２とを備えた厚紙である。
宛名基材部１２−１は、長辺が第１のシート状基材１１と同寸法であり、短辺が後述の第３のシート状基材２０に設けられる第１の切り込み部２２−１の切り込み幅よりも短い寸法で形成されており、表面に、顧客の氏名や住所などを記入する宛名記入欄１２ａが設けられ、また、宛名記入欄１２ａに隣接して会員カード４０が剥離可能な接着剤で接着されている。さらに、宛名基材部１２−１は、裏面に案内記載欄１２ｂが設けられている。
規約基材部１２−２は、宛名基材部１２−１と略同等の寸法で形成されており、裏面に会員規約などが記載される情報記載欄１２ｃが設けられている。
上述したように、宛名基材部１２−１及び規約基材部１２−２の短辺が後述の第３のシート状基材２０の第１の切り込み部２２−１の切り込み幅よりも短い寸法で形成されているので、第２のシート状基材１２は、第１のシート状基材１１から切り離されたときに、折り込み線ｆで折り畳んで、第３のシート状基材２０の第１の切り込み部２２−１に挿入し易くなる。
【０００９】
第３のシート状基材２０は、第１のシート状基材１１と同形状に形成された厚紙であり、接着層３０を介して第１のシート状基材１１の裏面に重なるようにして接着される。また、第３のシート状基材２０は、第１のシート状基材１１と第３のシート状基材２０との間の接着層３０で接着されない空間に収納部２１を形成し、また、収納部２１を開口する切り込み部２２が設けられている。
収納部２１は、切り離し予定線ｍで切り離される第２のシート状基材１２や、第２のシート状基材１２に剥離可能に貼付された会員カード４０、カタログ５０などを収納するために設けられた空間である。
【００１０】
切り込み部２２は、収納部２１を開口するために設けられ、第１の切り込み部２２−１と、第２の切り込み部２２−２とを備えている。
第１の切り込み部２２−１は、切り離し予定線ｍで切り離される第２のシート状基材１２と、カタログ５０とを収納部２１に収納するために設けられた開口部（切り込み）である。第１の切り込み部２２−１は、第２のシート状基材１２の収納部２１への収納を容易にするために、第３のシート状基材２０の短辺に対して傾斜するようにして形成される。
【００１１】
第２の切り込み部２２−２は、第２のシート状基材１２から剥離される会員カード４０を収納部２１に収納するために設けられた開口部（切り込み）である。
ここで、各切り込み部には、その端部に、円形の穴ｈが形成されており、その円形の穴ｈは、第２のシート状基材１２や会員カード４０を収納部２１に収納するために各切り込み部を開いたときに、各切り込み部の端部に力が集中するのを低減し、各切り込み部の端部が破れてしまうのを防止している。
接着層３０は、第１のシート状基材１１の裏面の周縁部に設けられた剥離不可能な接着剤である。
【００１２】
会員カード４０は、矩形状の樹脂基材から形成され、宛名基材部１２−１の宛名記入欄１２ａに記入される顧客の氏名や、会員番号などの情報が記載されたＩＤカードである。
カタログ５０は、図１（ｃ）に示すように、収納型台紙１０とともに封筒１００に挿入された状態で顧客に送付される通信販売の商品カタログの冊子である。
封筒１００は、窓部１０１を備え、収納型台紙１０及びカタログ５０を収納して顧客に送付される郵送用の封筒である。ここで、収納型台紙１０は、第１のシート状基材１１と宛名基材部１２−１との間に規約基材部１２−２を挟むように、折りこみ線ｆ及び切り離し予定線ｍによって折り畳んだ状態で封筒１００に収納される。また、窓部１０１は、収納型台紙１０が封筒１００に収納されたときに、宛名記入欄１２ａを視認可能にする。
【００１３】
次に、収納型台紙１０に第２のシート状基材１２や会員カード４０を収納する方法について説明する。図２は、収納型台紙の使用方法を説明する模式図である。
顧客は、封筒１００を受け取ったら（図１（ｃ）参照）、封筒１００から収納型台紙１０とカタログ５０とを取り出し、図２（ａ）に示すように、収納型台紙１０から第２のシート状基材１２を切り離し予定線ｍで切り離し（矢印Ｂ）、また、第２のシート状基材１２の表面から会員カード４０を剥離する（矢印Ｃ）。
収納型台紙１０から切り離した第２のシート状基材１２と、第２のシート状基材１２から剥離した会員カード４０とは、それぞれを別々に保管することによって紛失してしまわないように、図２（ｂ）に示すように、切り込み部２２を介して収納部２１に収納される。具体的には、第２のシート状基材は、折り込み線ｆなどで４つ折りに折り畳まれた状態で、第１の切り込み部２２−１を介して収納部２１に収納され、会員カード４０は、第２の切り込み部２２−２を介して収納部２１に収納される。また、収納型台紙１０と同封されたカタログ５０も、図２（ｃ）に示すように、第１の切り込み部２２−１に第２のシート状基材１２とともに収納される。
【００１４】
以上より、本実施形態の収納型台紙１０には以下のような効果がある。
（１）収納型台紙１０は、収納部２１に、第２のシート状基材１２や会員カード４０だけでなく、封筒１００に同封されるカタログ５０も収納できるので、第２のシート状基材１２、会員カード４０、カタログ５０をまとめて保管することができる。
（２）収納型台紙１０は、第１の切り込み部及び第２の切り込み部を備えるので、第２のシート状基材１２と会員カード４０とをそれぞれ個別に収納することができる。
（３）宛名基材部１２−１は、表面に宛名記入欄１２ａと会員カード４０を有しているので、両者に記載された顧客名などの整合（マッチング）を容易に行うことができる。
【００１５】
（変形形態）
以上説明した実施形態に限定されることなく、種々の変形や変更が可能であり、それらも本発明の範囲内である。
（１）本実施形態では、第３のシート状基材２０は、第１の切り込み部２２−１及び第２の切り込み部２２−２を設けた例で説明したが、第１の切り込み部２２−１のみを設け、その第１の切り込み部２２−１を介して第２のシート状基材１２及び会員カード４０の両方を収納部２１に収納してもよい。また、カタログ５０を第２のシート状基材１２とともに第１の切り込み部２２−１を介して収納部２１に収納したが、カタログ５０用の切り込み部を別に設けることも可能である。
（２）本実施形態では、第３のシート状基材２０に切り込み部２２を形成する例で説明したが、第１のシート状基材１１に切り込み部２２を形成してもよい。
なお、実施形態及び変形形態は、適宜組み合わせて用いることもできるが、詳細な説明は省略する。また、本発明は、以上説明した実施形態によって限定されることはない。
【図面の簡単な説明】
【００１６】
【図１】本発明による収納型台紙の実施形態の模式図である。
【図２】収納型台紙の使用方法を説明する模式図である。
【符号の説明】
【００１７】
１０  収納型台紙
１１  第１のシート状基材
１２  第２のシート状基材
１２−１  宛名基材部
１２−２  規約基材部
２０  第３のシート状基材
３０  接着層
４０  会員カード
５０  カタログ
１００  封筒
【図１】
2009090537.tif 000003
【図２】
2009090537.tif 000004